(57)【要約】      （修正有）【課題】  生鳥を取り出す際に生鳥が損傷するおそれの無い、且つ内部の汚れを充分に除去できる生鳥篭を提供する。【解決手段】  格子構造の側壁と底壁とを有すると共に上端が開放された略直方体の篭本体１１と、篭本体１１の開放された上端を覆う略長方形の蓋１２とを備え、蓋１２は一辺を軸にした揺動による片開き可能に、又は対向する二辺の何れをも軸にした揺動による片開き可能に、篭本体に取り付けられている。【選択図】  図２
2006006135.tif 000002
【特許請求の範囲】
【請求項１】
格子構造の側壁と底壁とを有すると共に上端が開放された略直方体の篭本体と、篭本体の開放された上端を覆う略長方形の蓋とを備え、蓋は一辺を軸にした揺動による片開き可能に、又は対向する二辺の何れをも軸にした揺動による片開き可能に、篭本体に取り付けられていることを特徴とする生鳥篭。
【請求項２】
格子構造の側壁と底壁とを有すると共に上端が開放された略直方体の篭本体と、篭本体の開放された上端を覆う略長方形の蓋とを備え、蓋は水平移動による開閉可能に篭本体に取り付けられていることを特徴とする生鳥篭。
【請求項３】
蓋は、引き戸又は開き戸により開閉される開口を有していることを特徴とする請求項１又は２に記載の生鳥篭。
【請求項４】
格子構造の側壁と底壁とを有すると共に上端が開放された略直方体の篭本体と、篭本体の開放された上端を覆う二枚の略矩形の蓋とを備え、前記二枚の蓋は両開き可能に篭本体に取り付けられていることを特徴とする生鳥篭。
【請求項５】
一方の蓋は、引き戸又は開き戸により開閉される開口を有していることを特徴とする請求項４に記載の生鳥篭。
【請求項６】
格子構造の側壁と底壁とを有すると共に上端が開放された略直方体の篭本体と、引き戸又は開き戸により開閉される開口を有し篭本体の開放された上端を覆う略長方形の蓋とを備え、蓋は前記開口と引き戸又は開き戸とを内包する片開き可能な扉と扉により開閉される開口とを有しており、扉は一辺を軸にした揺動による片開き可能に又は対向する二辺の何れをも軸にした揺動による片開き可能に蓋に取り付けられていることを特徴とする生鳥篭。
【発明の詳細な説明】
【技術分野】
【０００１】
本発明は、養鶏場から食鳥処理工場への生鳥の運搬に際して、生鳥を入れる生鳥篭に関するものである。
【背景技術】
【０００２】
養鶏場から食鳥処理工場への生鳥の運搬に際して、生鳥を入れる生鳥篭が使用されている。
図１に示すように、生鳥篭１００は一般に、格子構造の側壁と底壁とを有すると共に上端が開放された略直方体の篭本体１０１と、篭本体１０１の開放された上端を覆う略長方形の格子構造の蓋１０２とを備えている。蓋１０２の二つの長辺は篭本体１０１の上端の二つの長辺に図示しない係止爪を介して係止している。蓋１０２は、開口１０２ａと、開口１０２ａを開閉する引き戸１０２ｂとを有している。
従来、生鳥篭１００への生鳥の出し入れは開口１０２ａを介して行っていた。
【発明の開示】
【発明が解決しようとする課題】
【０００３】
食鳥処理工場において、開口１０２ａを介して生鳥篭１００から生鳥を取り出す際に、生鳥が開口１０２ａの縁と干渉して損傷する事故が多発していた。また人の力では篭本体上端の二つの長辺に係止された蓋１０２を係止状態から開放するのが困難であることに鑑み、使用済みの生鳥篭１００を蓋１０２を取り付けたまま洗浄していたので、生鳥篭内部の汚れを十分に除去できかった。
本発明は上記問題に鑑みてなされたものであり、生鳥を取り出す際に生鳥が損傷するおそれの無い、且つ内部の汚れを充分に除去できる生鳥篭を提供することを目的とする。
【課題を解決するための手段】
【０００４】
上記課題を解決するために、本発明においては、格子構造の側壁と底壁とを有すると共に上端が開放された略直方体の篭本体と、篭本体の開放された上端を覆う略長方形の蓋とを備え、蓋は一辺を軸にした揺動による片開き可能に、又は対向する二辺の何れをも軸にした揺動による片開き可能に、篭本体に取り付けられていることを特徴とする生鳥篭を提供する。
本発明においては、格子構造の側壁と底壁とを有すると共に上端が開放された略直方体の篭本体と、篭本体の開放された上端を覆う略長方形の蓋とを備え、蓋は水平移動による開閉可能に篭本体に取り付けられていることを特徴とする生鳥篭を提供する。
本発明の好ましい態様においては、蓋は、引き戸又は開き戸により開閉される開口を有している。
本発明に係る生鳥篭においては、片開き可能な蓋を揺動させて開き、或いは水平移動可能な蓋を水平移動させて開いて、生鳥を篭に出し入れする。篭本体の上端が形成する開口は大きいので、生鳥を出し入れする際に生鳥が損傷するおそれは無い。蓋は人の力で容易に開くことができるので、蓋を開いた状態で生鳥篭を洗浄することが可能であり、生鳥篭内部の汚れを充分に除去することが可能である。
引き戸又は開き戸により開閉される開口を蓋に設けると、蓋を閉じ、引き戸又は開き戸を開いて、比較的小さな開口を介して生鳥を篭に入れることができ、篭詰めの際に生鳥が篭から逃げ出すのを防止できる。
【０００５】
本発明においては、格子構造の側壁と底壁とを有すると共に上端が開放された略直方体の篭本体と、篭本体の開放された上端を覆う二枚の略矩形の蓋とを備え、前記二枚の蓋は両開き可能に篭本体に取り付けられていることを特徴とする生鳥篭を提供する。
本発明の好ましい態様においては、一方の蓋は、引き戸又は開き戸により開閉される開口を有している。
本発明に係る生鳥篭においては、両開き可能な二枚の蓋を揺動させて開き、生鳥を篭に出し入れする。篭本体の上端が形成する開口は大きいので、生鳥を出し入れする際に生鳥が損傷するおそれは無い。蓋は人の力で容易に開くことができるので、蓋を開いた状態で生鳥篭を洗浄することが可能であり、生鳥篭内部の汚れを充分に除去することが可能である。
引き戸又は開き戸により開閉される開口を一方の蓋に設けると、二枚の蓋を閉じ、引き戸又は開き戸を開いて、比較的小さな開口を介して生鳥を篭に入れることができ、篭詰めの際に生鳥が篭から逃げ出すのを防止できる。
【０００６】
本発明においては、格子構造の側壁と底壁とを有すると共に上端が開放された略直方体の篭本体と、引き戸又は開き戸により開閉される開口を有し篭本体の開放された上端を覆う略長方形の蓋とを備え、蓋は前記開口と引き戸又は開き戸とを内包する片開き可能な扉と、扉により開閉される開口とを有しており、扉は一辺を軸にした揺動による片開き可能に又は対向する二辺の何れをも軸にした揺動による片開き可能に蓋に取り付けられていることを特徴とする生鳥篭を提供する。
本発明に係る生鳥篭においては、蓋が有する片開き可能な扉を閉じ、扉が内包する引き戸又は開き戸を開いて、比較的小さな開口を介して生鳥を篭に入れる。これにより、篭詰めの際に生鳥が篭から逃げ出すのを防止できる。生鳥を篭から取り出す際には、蓋が有する片開き可能な扉を揺動して開き、扉が開いて形成された引き戸又は開き戸の開口よりも大きな開口を介して生鳥を篭から取り出す。これにより、篭から生鳥を取り出す際に生鳥が損傷するのを防止できる。蓋が有する扉は人の力で容易に開くことができるので、扉を開いた状態で生鳥篭を洗浄することが可能であり、生鳥篭内部の汚れを充分に除去することが可能である。
【発明の効果】
【０００７】
本発明に係る生鳥篭においては、篭から生鳥を取り出す際に生鳥が損傷するおそれが無く、また、生鳥篭内部の汚れを充分に除去することが可能である。
【発明を実施するための最良の形態】
【０００８】
本発明の実施例に係る生鳥篭を説明する。
【実施例１】
【０００９】
図２に示すように、生鳥篭１０は、格子構造の側壁と底壁とを有すると共に上端が開放された略直方体の篭本体１１と、引き戸１２ｂにより開閉される開口１２ａを有し篭本体１１の開放された上端を覆う略長方形の蓋１２とを備えている。蓋１２は一方の長辺を軸にした揺動による片開き可能に篭本体１１に取り付けられている。蓋１２の他方の長辺には、蓋１２が閉じた際に蓋１２を篭本体１１の上端に係止するための図示しない係止爪が形成されている。
生鳥篭１０においては、生鳥を生鳥篭１０に入れる際には、蓋１２を閉じて篭本体１１の上端に係止させ、引き戸１２ｂを開き、開口１２ａを介して生鳥を生鳥篭１０に入れる。
生鳥を生鳥篭１０から取り出す際には、蓋１２の篭本体１１上端への係止状態を解除し、片開き可能な蓋１２を揺動させて開き、篭本体１１の上端が形成する開口を介して生鳥を生鳥篭１０から取り出す。開口１２ａよりも大きな篭本体１１の上端が形成する開口を介して生鳥を生鳥篭１０から取り出すので、生鳥篭１０から生鳥を取り出す際に生鳥が損傷するおそれは無い。
蓋１２の二つの長辺のうちの一つのみが篭本体１１の上端に係止している状態は、蓋１２の二つの長辺が篭本体１１の上端の二つの長辺に係止している状態に比べて、係止の解除が容易であり、人の力でも容易に解除することができる。前記係止状態が一旦解除されると、蓋１２は人の力で容易に揺動させて開くことができる。従って、生鳥篭１０は、蓋１２を開いた状態で洗浄することが可能であり、生鳥篭１０内部の汚れを充分に除去することが可能である。
【実施例２】
【００１０】
図３に示すように、生鳥篭２０は、格子構造の側壁と底壁とを有すると共に上端が開放された略直方体の篭本体２１と、引き戸２２ｂにより開閉される開口２２ａを有し篭本体２１の開放された上端を覆う略長方形の蓋２２とを備えている。蓋２２は二つの長辺の何れをも軸にした揺動による片開き可能に、篭本体２１に取り付けられている。
生鳥篭２０においては、生鳥を生鳥篭２０に入れる際には、蓋２２を閉じ、引き戸２２ｂを開き、開口２２ａを介して生鳥を生鳥篭２０に入れる。
生鳥を生鳥篭２０から取り出す際には、蓋２２の一方の長辺の篭本体上端への軸着状態を解除し、蓋２２を他方の長辺側へ揺動させて開き、篭本体２１の上端が形成する開口を介して生鳥を生鳥篭２０から取り出す。開口２２ａよりも大きな篭本体２１の上端が形成する開口を介して生鳥を生鳥篭２０から取り出すので、生鳥篭２０から生鳥を取り出す際に生鳥が損傷するおそれは無い。
蓋２２の一方の長辺の篭本体上端への軸着状態は人の力でも容易に解除することができる。前記軸着状態が一旦解除されると、蓋２２は人の力で容易に揺動させて開くことができる。従って、生鳥篭２０は、蓋２２を開いた状態で洗浄することが可能であり、生鳥篭２０内部の汚れを充分に除去することが可能である。
【実施例３】
【００１１】
図４に示すように、生鳥篭３０は、格子構造の側壁と底壁とを有すると共に上端が開放された略直方体の篭本体３１と、篭本体３１の開放された上端を覆う略長方形の２枚の蓋３２とを備えている。一方の蓋３２は、引き戸３２ｂにより開閉される開口３２ａを有している。２枚の蓋３２は、両開き可能に篭本体３１に取り付けられている。閉じた状態の２枚の蓋３２を互いに係止させる図示しない係止爪が、一方の蓋３２に取り付けられている。
生鳥篭３０においては、生鳥を生鳥篭３０に入れる際には、２枚の蓋３２を閉じて互いに係止させ、引き戸３２ｂを開き、開口３２ａを介して生鳥を生鳥篭３０に入れる。
生鳥を生鳥篭３０から取り出す際には、２枚の蓋３２の相互係止状態を解除し、蓋３２を両開きし、篭本体３１の上端が形成する開口を介して生鳥を生鳥篭３０から取り出す。開口３２ａよりも大きな篭本体３１の上端が形成する開口を介して生鳥を生鳥篭３０から取り出すので、生鳥篭３０から生鳥を取り出す際に生鳥が損傷するおそれは無い。
２枚の蓋３２の相互係止状態は人の力でも容易に解除することができる。前記相互係止状態が一旦解除されると、蓋３２は人の力で容易に両開きさせることができる。従って、生鳥篭３０は、蓋３２を開いた状態で洗浄することが可能であり、生鳥篭３０内部の汚れを充分に除去することが可能である。
【実施例４】
【００１２】
図５に示すように、生鳥篭４０は、格子構造の側壁と底壁とを有すると共に上端が開放された略直方体の篭本体４１と、篭本体４１の開放された上端を覆う略長方形の蓋４２とを備えている。蓋４２は、引き戸状に短手方向へ水平移動可能に篭本体４１に取り付けられている。閉じた状態の蓋４２の水平移動を規制する図示しない水平移動規制部材が蓋４２に取り付けられている。
生鳥篭４０においては、生鳥を生鳥篭４０に入れる際には、蓋４２を閉じて蓋４２の水平移動を規制し、引き戸４２ｂを開き、開口４２ａを介して生鳥を生鳥篭４０に入れる。
生鳥を生鳥篭４０から取り出す際には、蓋４２の水平移動規制を解除し、蓋４２を水平移動させて開き、篭本体４１の上端が形成する開口を介して生鳥を生鳥篭４０から取り出す。開口４２ａよりも大きな篭本体４１の上端が形成する開口を介して生鳥を生鳥篭４０から取り出すので、生鳥篭４０から生鳥を取り出す際に生鳥が損傷するおそれは無い。
蓋４２の水平移動規制は人の力でも容易に解除することができる。前記規制が一旦解除されると、蓋４２は人の力で容易に水平移動させて開くことができる。従って、生鳥篭４０は、蓋４２を開いた状態で洗浄することが可能であり、生鳥篭４０内部の汚れを充分に除去することが可能である。
【実施例５】
【００１３】
図６に示すように、生鳥篭５０は、格子構造の側壁と底壁とを有すると共に上端が開放された略直方体の篭本体５１と、篭本体５１の開放された上端を覆う略長方形の蓋５２とを備えている。蓋５２の二つの長辺は図示しない係止爪により篭本体５１の上端の二つの長辺に係止されている。蓋５２は、引き戸５２ｂにより開閉される開口５２ａを有すると共に、開口５２ａと引き戸５２ｂとを内包する片開き可能な扉５２′と、扉５２′により開閉される開口５２″とを有している。扉５２′の軸着されていな側の長辺には、扉５２′が閉じた際に扉５２′を蓋５２に係止するための図示しない係止爪が形成されている。
生鳥篭５０においては、生鳥を生鳥篭５０に入れる際には、扉５２′を閉じて蓋５２に係止させ、引き戸５２ｂを開き、開口５２ａを介して生鳥を生鳥篭５０に入れる。
生鳥を生鳥篭５０から取り出す際には、扉５２′の蓋５２への係止を解除し、片開き可能な扉５２′を揺動させて開き、扉５２′が開くことにより形成された開口５２″を介して生鳥を生鳥篭５０から取り出す。扉５２′が開くことにより形成された、開口５２ａよりも大きな開口５２″を介して生鳥を生鳥篭５０から取り出すので、生鳥篭５０から生鳥を取り出す際に生鳥が損傷するおそれは無い。
扉５２′の蓋５２への係止は人の力でも容易に解除することができる。前記係止が一旦解除されると、扉５２′は人の力で容易に揺動させて開くことができる。従って、生鳥篭５０は、扉５２′を開いた状態で洗浄することが可能であり、生鳥篭５０内部の汚れを充分に除去することが可能である。
【実施例６】
【００１４】
実施例１〜５において、蓋が備える引き戸を揺動開閉される開き戸に置き換えても良い。
実施例１〜５において、引き戸と引き戸により開閉される開口を扉から除去しても良い。この場合は、蓋又は蓋に形成した扉を開いて、生鳥を篭に入れることになる。
実施例５において、扉５２′を対向する二つの長辺の何れをも軸にした揺動による片開き可能な扉としても良い。この場合、扉５２′が閉じた状態では、扉５２′の二つの長辺は共に蓋５２に軸着される。従って、扉５２′が閉じた際に扉５２′を蓋５２に係止するための図示しない係止爪は不要である。
【産業上の利用可能性】
【００１５】
本発明は、生鳥篭に広く利用可能である。
【図面の簡単な説明】
【００１６】
【図１】従来構造の生鳥篭の斜視図である。
【図２】本発明の実施例１に係る生鳥篭の斜視図である。
【図３】本発明の実施例２に係る生鳥篭の斜視図である。
【図４】本発明の実施例３に係る生鳥篭の斜視図である。
【図５】本発明の実施例４に係る生鳥篭の斜視図である。
【図６】本発明の実施例５に係る生鳥篭の斜視図である。
【符号の説明】
【００１７】
１００、１０、２０、３０、４０、５０  生鳥篭
１０１、１１、２１、３１、４１、５１  篭本体
１０２、１２、２２、３２、４２、５２  蓋
１０２ａ、１２ａ、２２ａ、３２ａ、４２ａ、５２ａ  開口
１０２ｂ、１２ｂ、２２ｂ、３２ｂ、４２ｂ、５２ｂ  ひき戸
５２′  扉
【図１】
2006006135.tif 000003
【図２】
2006006135.tif 000004
【図３】
2006006135.tif 000005
【図４】
2006006135.tif 000006
【図５】
2006006135.tif 000007
【図６】
2006006135.tif 000008